(57)【要約】【課題】  樹木を再活性化させると共に、樹木の倒木を防止することが可能な樹木の再活性化方法の提供。【解決手段】  桜１等の老木の枝２に発芽した脇芽３を刃物で切り取って切断部４に発根活性剤を塗布する第１工程と、切断部分から地面Ｇに至るまでの間を、通気性及び通水性を有し内部に肥料と適度な水分を含む培養土Ｆを充填したパイプ５で覆う第２工程と、切断部４から根が複数発根して所定長さに成長した段階で、成長部分におけるパイプ５の一部の片面部分を切り開き、太い根６を残して細い根を切り取る第３工程と、残した前記太い根６がパイプ５内で成長しその先端が地中内まで伸びて完全に根付いた時点でパイプ５を取り外す第４工程とからなる。【選択図】      図３
2013215140.tif 000002
【特許請求の範囲】
【請求項１】
桜等の老木の枝に発芽した脇芽を刃物で切り取って切断部に発根活性剤を塗布する第１工程と、
前記切断部分から地面に至るまでの間を、通気性及び通水性を有し内部に肥料と適度な水分を含む培養土を充填したパイプで覆う第２工程と、
前記切断部から根が複数発根して所定長さに成長した段階で、成長部分におけるパイプの一部の片面部分を切り開き、太い根を残して細い根を切り取る第３工程と、
残した前記太い根がパイプ内で成長しその先端が地中内まで伸びて完全に根付いた時点でパイプを取り外す第４工程と、
からなることを特徴とする樹木の再活性化方法。
【請求項２】
請求項１に記載の樹木の再活性化方法において、
前記培養土内に炭を含むことを特徴とする樹木の再活性化方法。
【請求項３】
請求項１または２に記載の樹木の再活性化方法において、
前記樹木の幹に腐食や空洞部が発生している場合は、腐食部分の除去や空洞部を埋める補修作業を並行して行うことを特徴とする樹木の再活性化方法。
【発明の詳細な説明】
【技術分野】
【０００１】
本発明は、老木等のように樹勢が弱った樹木の再活性化方法に関する。
【背景技術】
【０００２】
樹木は、根から吸い上げた地中の水や養分を木質部の導管を通じて葉に送ることで成長及び活性化が行われている。
ところが、古木や老木等のように、木の幹が腐食したり空洞化すると、導管の減少により水や養分の吸い上げが不十分になるだけでなく、強い風で倒木し易くなる。
そこで、従来では、樹木を複数の支え棒で支えることで倒木を防止したり、腐食部を除去した空洞部内を薬剤で腐食防止処置をした後、空洞内に樹脂やモルタル等の補修剤を充填することにより、腐食の進行防止と樹木の倒木を防止するようにしている（例えば、特許文献１、２参照）。
【先行技術文献】
【特許文献】
【０００３】
【特許文献１】特開２０００−３４２０８７号公報
【特許文献２】特開２００６−３２５５６８号公報
【発明の概要】
【発明が解決しようとする課題】
【０００４】
しかしながら、従来の方法では、樹木の倒木防止と、腐食の進行防止は可能であるが、樹木の再活性化はできないという問題がある。
【０００５】
本発明の解決しようとする課題は、樹木を再活性化させると共に、樹木の倒木を防止することが可能な樹木の再活性化方法を提供することにある。
【課題を解決するための手段】
【０００６】
上記課題を解決するため請求項１記載の樹木の再活性化方法は、
桜等の老木の枝に発芽した脇芽を刃物で切り取って切断部に発根活性剤を塗布する第１工程と、
前記切断部分から地面に至るまでの間を、通気性及び通水性を有し内部に肥料と適度な水分を含む培養土を充填したパイプで覆う第２工程と、
前記切断部から根が複数発根して所定長さに成長した段階で、成長部分におけるパイプの一部の片面部分を切り開き、太い根を残して細い根を切り取る第３工程と、
残した前記太い根がパイプ内で成長しその先端が地中内まで伸びて完全に根付いた時点でパイプを取り外す第４工程と、
からなることを特徴とする手段とした。
【０００７】
また、請求項２記載の樹木の再活性化方法は、請求項１記載の樹木の再活性化方法において、
前記培養土内に炭を含むことを特徴とする手段とした。
【０００８】
また、請求項３記載の樹木の再活性化方法では、請求項１又は２に記載の樹木の再活性化方法において、
前記樹木の幹に腐食や空洞部が発生している場合は、腐食部分の除去や空洞部を埋める補修作業を並行して行うことを特徴とする手段とした。
【発明の効果】
【０００９】
請求項１記載の樹木の再活性化方法では、上述のように、枝に発芽した脇芽を切断して切断部分から地面に至るまでの間を、通気性及び通水性を有し内部に肥料と適度な水分を含む培養土を充填したパイプで覆うことで、脇芽の切断部から発根した根をパイプ内に充填された培養土内で水分や養分を吸収しながら地中まで成長させることができるため、地中に根付いた新根から水や養分を吸い上げて葉に供給できるようになる。
従って、樹木を再活性化することができるようになる。
また、根が複数発根して所定長さに成長した段階で太い根を残して細い根を切り取ることにより、残した根の成長を促進させることができるようになる。
また、上記の要領で複数の枝に発芽した脇芽から新根を成長させることにより、樹木の再活性化を促進することができると共に、複数の新根が支え棒の役目をなして樹木の倒木を防止できるようになる。
【００１０】
請求項２記載の樹木の再活性化方法では、上述のように、培養土内に炭を含ませることで、新根の活性化を促進させることができるようになる。
【００１１】
請求項３記載の樹木の再活性化方法では、上述のように、樹木の幹に腐食や空洞部が発生している場合は、腐食部分の除去や空洞部を埋める補修作業を並行して行なうことにより、腐食等の進行を停止させることができるようになる。
【図面の簡単な説明】
【００１２】
【図１】実施例１の樹木の再活性化方法の第１工程を示す図である。
【図２】実施例１の樹木の再活性化方法の第２工程を示す図である。
【図３】実施例１の樹木の再活性化方法の第３工程を示す図である。
【図４】実施例１の樹木の再活性化方法の第４工程を示す図である。
【発明を実施するための形態】
【００１３】
以下にこの発明の実施例を図面に基づいて説明する。
【実施例１】
【００１４】
まず、この実施例１の樹木の再活性化方法を図面に基づいて説明する。
なお、この実施例１では、木質部の空洞化が進むことで導管が減少して水や養分の吸い上げが不十分になった桜の老木の再活性化方法について説明する。
【００１５】
この実施例１では、先ず、図１に示すように、桜１の枝２に発芽した脇芽３を鋭利な刃物で切り取って切断部４に刷毛で発根活性剤（商品名：メネデール等）を塗布する（第１工程）。
【００１６】
次に、図２に示すように、切断部分から地面Ｇに至るまでの間を、通気性及び通水性を有し内部に肥料と適度な水分と炭を含む培養土Ｆを充填したパイプ５で覆う（第２工程）。
この実施例１では樹脂パイプの外周面に多数の穴５１を開けることにより、通気性及び通水性を確保している。
また、パイプ５の上端開口縁部と枝２との間に隙間ができないようにセメント等で塞ぐと共に、パイプ５の下端と地面Ｇとの間に隙間ができないように、パイプ５の下端を所定長さ地中に埋め込んでおくことが望ましい。
【００１７】
次に、作業を開始して所定年月経過し、前記切断部４から根が複数発根して所定長さに成長した段階で、成長部分におけるパイプ５の一部の片面部分を切り開き、太い根６を残して細い根を切り取る（第３工程）。その後、太い根６がパイプ内で成長するにつれて、パイプ５の片面部分を上方から少しずつ切り開いて行く。
【００１８】
次に、作業を開始して所定年月経過し、残した前記太い根６がパイプ５内で成長しその先端が地中内まで伸びて完全に根付いた時点でパイプ５を取り外す（第４工程）。
【００１９】
なお、桜１の幹７に腐食や空洞部が発生している場合は、腐食部分の除去や空洞部を樹脂やモルタル８を埋める補修作業を並行して行う。
【００２０】
次に、この実施例１の効果を説明する。
この実施例１の樹木の再活性化方法では、上述のように、枝２に発芽した脇芽３を切断して切断部分から地面Ｇに至るまでの間を、通気性及び通水性を有し内部に肥料と適度な水分を含む培養土Ｆを充填したパイプ５で覆うことで、脇芽３の切断部から発根した根をパイプ５内に充填された培養土Ｆ内で水分や養分を吸収しながら地中まで成長させることができるため、地中に根付いた新根から水や養分を吸い上げて葉に供給できるようになる。
従って、樹木を再活性化することができるようになる。
【００２１】
また、根が複数発根して所定長さに成長した段階で太い根６を残して細い根を切り取ることにより、残した根の成長を促進させることができるようになる。
【００２２】
また、上記の要領で複数の枝２に発芽した脇芽３から新根を成長させることにより、樹木の再活性化を促進することができると共に、複数の新根が支え棒の役目をなして樹木の倒木を防止できるようになる。
【００２３】
また、培養土Ｆ内に炭を含ませることで、新根の活性化を促進させることができるようになる。
【００２４】
また、樹木の幹７に腐食や空洞部が発生している場合は、腐食部分の除去や空洞部を埋める補修作業を並行して行なうことにより、腐食等の進行を停止させることができるようになる。
【００２５】
以上本実施例を説明してきたが、本発明は上述の実施例に限られるものではなく、本発明の要旨を逸脱しない範囲の設計変更等があっても、本発明に含まれる。
【００２６】
例えば、実施例では、桜を例にとったが、桜以外の樹木にも適用することができる。
【００２７】
また、実施例では、パイプ５として複数の穴５１を開けた樹脂パイプを用いたが、その素材は任意であり、要は適度な通気性と通水性を有するものであればよい。
また、パイプ５とは、培養土Ｆのまわりを筒状に取り囲むものであれば、その断面形状等も任意である。
また、培養土Ｆの具体的内容も任意である。
【符号の説明】
【００２８】
１  桜（樹木）
２  枝
３  脇芽
４  切断部
５  パイプ
６  太い根
７  幹
８  樹脂やモルタル
５１  パイプの穴
Ｆ  培養土
Ｇ  地面
【図１】
2013215140.tif 000003
【図２】
2013215140.tif 000004
【図３】
2013215140.tif 000005
【図４】
2013215140.tif 000006